【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
宿泊施設への宿泊の予約を受け付ける受付手段と、
前記受付手段によって受け付けた予約を集約するための予約集約画面へ当該予約を表示する第一の表示手段と、
前記第一の表示手段によって予約集約画面へ表示されたそれぞれの予約間の関連付けを行う操作を受け付ける関連付手段と、
前記関連付手段によって関連付けられた予約間が関連することを関連付けがされていない予約と識別して、前記宿泊施設の部屋の割り当てを行う部屋割当画面へ表示する第二の表示手段と、
前記第二の表示手段で部屋割当画面に表示された予約に対して前記宿泊施設の部屋の割り当てを行う部屋割当手段と、
を備えたことを特徴とする宿泊予約装置。
【請求項２】
前記第一の表示手段は、１の予約に対する複数の部屋予約を前記予約集約画面へそれぞれ表示し、
前記関連付手段は、予約に対するそれぞれの部屋予約と、前記予約と異なる予約の部屋予約との関連付けを行う操作を受け付けることを特徴とする請求項１に記載の宿泊予約装置。
【請求項３】
前記関連付手段は、複数の部屋予約を有する１の予約間の関連付けを行うことを特徴とする請求項２に記載の宿泊予約装置。
【請求項４】
前記第二の表示手段で部屋割当画面に表示された複数の予約から、前記宿泊施設の部屋の割り当てを合わせて割り当てることを所望する予約の選択を受け付ける部屋割当選択受付手段を備え、
前記部屋割当手段は、部屋割当選択受付手段によって選択を受け付けた何れの予約の宿泊期間及び部屋の種類を満たす部屋の割り当てを行う請求項１乃至３の何れか１項に記載の宿泊予約装置。
【請求項５】
前記関連付手段は、前記関連付手段によって関連付けがなされた予約と、関連付けがなされていない予約との、関連付けを行うことを特徴とする請求項１乃至４の何れか１項に記載の宿泊予約装置。
【請求項６】
前記関連付手段は、前記関連付手段によって関連付けられた予約と、前記関連付けられた予約とは異なる関連付けがなされている予約との、関連付けを行うことを特徴とする請求項１乃至５の何れか１項に記載の宿泊予約装置。
【請求項７】
予約に対する宿泊された部屋の宿泊費用を会計画面へ表示する第三の表示手段を備え、
前記第三の表示手段は、前記部屋を割り当てた予約が関連付けがなされた予約である場合、関連付けられた全ての予約に対する宿泊された部屋の宿泊費用の合計を前記会計画面へ表示することを特徴とする請求項１乃至６の何れか１項に記載の宿泊予約装置。
【請求項８】
クライアント装置とサーバ装置とがネットワークを介して接続した宿泊予約システムであって、
宿泊施設への宿泊の予約を受け付ける受付手段と、
前記受付手段によって受け付けた予約を集約するための予約集約画面へ当該予約の表示を制御する第一の表示手段と、
前記第一の表示手段によって予約集約画面へ表示されたそれぞれの予約間の関連付けを行う操作を受け付ける関連付手段と、
前記関連付手段によって関連付けられた予約間が関連することを関連付けがされていない予約と識別して、前記宿泊施設の部屋の割り当てを行う部屋割当画面への表示を制御する第二の表示手段と、
前記第二の表示手段で部屋割当画面に表示された予約に対して前記宿泊施設の部屋の割り当てを行う部屋割当手段と、
を備えたことを特徴とする宿泊予約システム。
【請求項９】
宿泊予約装置における宿泊施設の部屋の予約方法であって、
前記宿泊予約装置の受付手段が、宿泊施設への宿泊の予約を受け付ける受付ステップ、
前記宿泊予約装置の第一の表示手段が、前記受付ステップによって受け付けた予約を集約するための予約集約画面へ当該予約を表示する第一の表示ステップ、
前記宿泊予約装置の関連付手段が、前記第一の表示ステップによって予約集約画面へ表示されたそれぞれの予約間の関連付けを行う操作を受け付ける関連付ステップ、
前記宿泊予約装置の第二の表示手段が、前記関連付ステップによって関連付けられた予約間が関連することを関連付けがされていない予約と識別して、前記宿泊施設の部屋の割り当てを行う部屋割当画面へ表示する第二の表示ステップ、
前記宿泊予約装置の部屋割当手段が、前記第二の表示ステップで部屋割当画面に表示された予約に対して前記宿泊施設の部屋の割り当てを行う部屋割当ステップ、
を含むことを特徴とする宿泊施設の部屋の予約方法。
【請求項１０】
宿泊予約装置で読取実行可能なプログラムであって、
前記宿泊予約装置を、
宿泊施設への宿泊の予約を受け付ける受付手段と、
前記受付手段によって受け付けた予約を集約するための予約集約画面へ当該予約を表示する第一の表示手段と、
前記第一の表示手段によって予約集約画面へ表示されたそれぞれの予約間の関連付けを行う操作を受け付ける関連付手段と、
前記関連付手段によって関連付けられた予約間が関連することを関連付けがされていない予約と識別して、前記宿泊施設の部屋の割り当てを行う部屋割当画面へ表示する第二の表示手段と、
前記第二の表示手段で部屋割当画面に表示された予約に対して前記宿泊施設の部屋の割り当てを行う部屋割当手段と、
して機能させることを特徴とするプログラム。
【請求項１１】
クライアント装置とサーバ装置とがネットワークを介して接続した宿泊予約システムにおいて、
宿泊施設への宿泊の予約を受け付ける受付ステップと、
前記受付ステップによって受け付けた予約を集約するための予約集約画面へ当該予約の表示を制御する第一の表示ステップと、
前記第一の表示ステップによって予約集約画面へ表示されたそれぞれの予約間の関連付けを行う操作を受け付ける関連付ステップと、
前記関連付ステップによって関連付けられた予約間が関連することを関連付けがされていない予約と識別して、前記宿泊施設の部屋の割り当てを行う部屋割当画面への表示を制御する第二の表示ステップと、
前記第二の表示ステップで部屋割当画面に表示された予約に対して前記宿泊施設の部屋の割り当てを行う部屋割当ステップと、
を実行することを特徴とする宿泊予約システムの制御方法。
【請求項１２】
クライアント装置とサーバ装置とがネットワークを介して接続した宿泊予約システムにおいて実行されるプログラムであって、
宿泊施設への宿泊の予約を受け付ける受付手段と、
前記受付手段によって受け付けた予約を集約するための予約集約画面へ当該予約の表示を制御する第一の表示手段と、
前記第一の表示手段によって予約集約画面へ表示されたそれぞれの予約間の関連付けを行う操作を受け付ける関連付手段と、
前記関連付手段によって関連付けられた予約間が関連することを関連付けがされていない予約と識別して、前記宿泊施設の部屋の割り当てを行う部屋割当画面への表示を制御する第二の表示手段と、
前記第二の表示手段で部屋割当画面に表示された予約に対して前記宿泊施設の部屋の割り当てを行う部屋割当手段と、
として機能させることを特徴とするプログラム。
【手続補正２】
【補正対象書類名】明細書
【補正対象項目名】００１５
【補正方法】変更
【補正の内容】
【００１５】
上記の目的を達成するための第１の発明は、宿泊施設への宿泊の予約を受け付ける受付手段と、前記受付手段によって受け付けた予約を集約するための予約集約画面へ当該予約を表示する第一の表示手段と、前記第一の表示手段によって予約集約画面へ表示されたそれぞれの予約間の関連付けを行う操作を受け付ける関連付手段と、前記関連付手段によって関連付けられた予約間が関連することを関連付けがされていない予約と識別して、前記宿泊施設の部屋の割り当てを行う部屋割当画面へ表示する第二の表示手段と、前記第二の表示手段で部屋割当画面に表示された予約に対して前記宿泊施設の部屋の割り当てを行う部屋割当手段と、を備えたことを特徴とする宿泊予約装置である。
【手続補正３】
【補正対象書類名】明細書
【補正対象項目名】００１６
【補正方法】変更
【補正の内容】
【００１６】
上記の目的を達成するための第２の発明は、クライアント装置とサーバ装置とがネットワークを介して接続した宿泊予約システムであって、宿泊施設への宿泊の予約を受け付ける受付手段と、前記受付手段によって受け付けた予約を集約するための予約集約画面へ当該予約の表示を制御する第一の表示手段と、前記第一の表示手段によって予約集約画面へ表示されたそれぞれの予約間の関連付けを行う操作を受け付ける関連付手段と、前記関連付手段によって関連付けられた予約間が関連することを関連付けがされていない予約と識別して、前記宿泊施設の部屋の割り当てを行う部屋割当画面への表示を制御する第二の表示手段と、前記第二の表示手段で部屋割当画面に表示された予約に対して前記宿泊施設の部屋の割り当てを行う部屋割当手段と、を備えたことを特徴とする宿泊予約システムである。
【手続補正４】
【補正対象書類名】明細書
【補正対象項目名】００１７
【補正方法】変更
【補正の内容】
【００１７】
上記の目的を達成するための第３の発明は、宿泊予約装置における宿泊施設の部屋の予約方法であって、前記宿泊予約装置の受付手段が、宿泊施設への宿泊の予約を受け付ける受付ステップ、前記宿泊予約装置の第一の表示手段が、前記受付ステップによって受け付けた予約を集約するための予約集約画面へ当該予約を表示する第一の表示ステップ、前記宿泊予約装置の関連付手段が、前記第一の表示ステップによって予約集約画面へ表示されたそれぞれの予約間の関連付けを行う操作を受け付ける関連付ステップ、前記宿泊予約装置の第二の表示手段が、前記関連付ステップによって関連付けられた予約間が関連することを関連付けがされていない予約と識別して、前記宿泊施設の部屋の割り当てを行う部屋割当画面へ表示する第二の表示ステップ、前記宿泊予約装置の部屋割当手段が、前記第二の表示ステップで部屋割当画面に表示された予約に対して前記宿泊施設の部屋の割り当てを行う部屋割当ステップ、を含むことを特徴とする宿泊施設の部屋の予約方法である。
【手続補正５】
【補正対象書類名】明細書
【補正対象項目名】００１８
【補正方法】変更
【補正の内容】
【００１８】
上記の目的を達成するための第４の発明は、宿泊予約装置で読取実行可能なプログラムであって、前記宿泊予約装置を、宿泊施設への宿泊の予約を受け付ける受付手段と、前記受付手段によって受け付けた予約を集約するための予約集約画面へ当該予約を表示する第一の表示手段と、前記第一の表示手段によって予約集約画面へ表示されたそれぞれの予約間の関連付けを行う操作を受け付ける関連付手段と、前記関連付手段によって関連付けられた予約間が関連することを関連付けがされていない予約と識別して、前記宿泊施設の部屋の割り当てを行う部屋割当画面へ表示する第二の表示手段と、前記第二の表示手段で部屋割当画面に表示された予約に対して前記宿泊施設の部屋の割り当てを行う部屋割当手段と、して機能させることを特徴とするプログラムである。
【手続補正６】
【補正対象書類名】明細書
【補正対象項目名】００１９
【補正方法】変更
【補正の内容】
【００１９】
上記の目的を達成するための第５の発明は、クライアント装置とサーバ装置とがネットワークを介して接続した宿泊予約システムにおいて、宿泊施設への宿泊の予約を受け付ける受付ステップと、前記受付ステップによって受け付けた予約を集約するための予約集約画面へ当該予約の表示を制御する第一の表示ステップと、前記第一の表示ステップによって予約集約画面へ表示されたそれぞれの予約間の関連付けを行う操作を受け付ける関連付ステップと、前記関連付ステップによって関連付けられた予約間が関連することを関連付けがされていない予約と識別して、前記宿泊施設の部屋の割り当てを行う部屋割当画面への表示を制御する第二の表示ステップと、前記第二の表示ステップで部屋割当画面に表示された予約に対して前記宿泊施設の部屋の割り当てを行う部屋割当ステップと、を実行することを特徴とする宿泊予約システムの制御方法である。
【手続補正７】
【補正対象書類名】明細書
【補正対象項目名】００２０
【補正方法】変更
【補正の内容】
【００２０】
上記の目的を達成するための第６の発明は、クライアント装置とサーバ装置とがネットワークを介して接続した宿泊予約システムにおいて実行されるプログラムであって、宿泊施設への宿泊の予約を受け付ける受付手段と、前記受付手段によって受け付けた予約を集約するための予約集約画面へ当該予約の表示を制御する第一の表示手段と、前記第一の表示手段によって予約集約画面へ表示されたそれぞれの予約間の関連付けを行う操作を受け付ける関連付手段と、前記関連付手段によって関連付けられた予約間が関連することを関連付けがされていない予約と識別して、前記宿泊施設の部屋の割り当てを行う部屋割当画面への表示を制御する第二の表示手段と、前記第二の表示手段で部屋割当画面に表示された予約に対して前記宿泊施設の部屋の割り当てを行う部屋割当手段と、として機能させることを特徴とするプログラムである。